(57)【特許請求の範囲】
【請求項１】
再生器、凝縮器、蒸発器、吸収器などを配管接続して構成するとともに、冷媒及び吸収液の循環がスムースに行えるように水平を出して設置するためのジャッキアップを行う部分（以下、ジャッキアップ部分という）を設けた吸収式冷凍機であって、
前記吸収器の一方の側部に、短筒状の水カバー本体の外側を蓋板で被覆して構成した上流側水カバーを設け、前記吸収器の他方の側部にも、短筒状の水カバー本体の外側を蓋板で被覆して構成した下流側水カバーを設けるとともに、各前記水カバー本体の外側から、それぞれ、下方側に突き出して前記蓋板により被覆されない部分を前記ジャッキアップ部分として構成したことを特徴とする吸収式冷凍機。
【請求項２】
再生器、凝縮器、蒸発器、吸収器などを配管接続して構成するとともに、冷媒及び吸収液の循環がスムースに行えるように水平を出して設置するためのジャッキアップを行う部分（以下、ジャッキアップ部分という）を設けた吸収式冷凍機であって、
前記蒸発器の一方の側部に、短筒状のブラインカバー本体の外側を蓋板で被覆して構成した上流側ブラインカバーを設け、前記蒸発器の他方の側部にも、短筒状のブラインカバー本体の外側を蓋板で被覆して構成した下流側ブラインカバーを設けるとともに、各前記ブラインカバー本体の外側から、それぞれ、下方側に突き出した前記蓋板により被覆されない部分を前記ジャッキアップ部分として構成したことを特徴とする吸収式冷凍機。
【請求項３】
前記ジャッキアップ部分を、前記蓋板を取付けるためのフランジを下方に延設した部分であって前記蓋板により被覆されない部分によって構成したことを特徴とする請求項１または２に記載の吸収式冷凍機。
【発明の詳細な説明】
【０００１】
【発明の属する技術分野】
本発明は、吸収式冷凍機に関するものである。
【０００２】
【従来の技術】
冷暖房などに使用される再生器、凝縮器、蒸発器、吸収器などを配管接続して構成される吸収式冷凍機は、冷媒と吸収液の循環がスムースに行えるように、水平を 出して設置されなければならない。そのため、大型で重い吸収式冷凍機の納入設置に際しては、ジャッキアップし高さを微調整している。
【０００３】
【発明が解決しようとする課題】
しかし、従来の吸収式冷凍機においては、ジャッキを宛がう場所は吸収式冷凍機のＣ型チャンネル材、Ｈ型鋼などからなる架台以外には確保されていなかった。そ のため、その架台以外にジャッキを宛がった場合は、その箇所が破損しないように補強してジャッキアップする必要があり、据付作業が面倒であった。
【０００４】
また、補強をしないでジャッキアップし、ジャッキを宛がった箇所が破損することもあり、そのような不都合が生じることのない吸収式冷凍機を提供する必要があり、それが解決すべき問題点であった。
【０００５】
【課題を解決するための手段】
本発明は上記従来技術の課題を解決するため、
再生器、凝縮器、蒸発器、吸収器などを配管接続して構成するとともに、冷媒及び吸収液の循環がスムースに行えるように水平を出して設置するためのジャッキアップを行う部分（以下、ジャッキアップ部分という）を設けた吸収式冷凍機において、
上記の吸収器の一方の側部に、短筒状の水カバー本体の外側を蓋板で被覆して構成した上流側水カバーを設け、上記の吸収器の他方の側部にも、短筒状の水カバー本体の外側を蓋板で被覆して構成した下流側水カバーを設けるとともに、各上記の水カバー本体の外側から、それぞれ、下方側に突き出して上記の蓋板により被覆されない部分を上記のジャッキアップ部分として構成した第１の構成の吸収式冷凍機と、
【０００６】
再生器、凝縮器、蒸発器、吸収器などを配管接続して構成するとともに、冷媒及び吸収液の循環がスムースに行えるように水平を出して設置するためのジャッキアップを行う部分（以下、ジャッキアップ部分という）を設けた吸収式冷凍機において、
上記の蒸発器の一方の側部に、短筒状のブラインカバー本体の外側を蓋板で被覆して構成した上流側ブラインカバーを設け、上記の蒸発器の他方の側部にも、短筒状のブラインカバー本体の外側を蓋板で被覆して構成した下流側ブラインカバーを設けるとともに、各上記のブラインカバー本体の外側から、それぞれ、下方側に突き出した上記の蓋板により被覆されない部分を上記のジャッキアップ部分として構成した第２の構成の吸収式冷凍機と、
【０００７】
上記の第１の構成または第２の吸収式冷凍機において、
上記のジャッキアップ部分を、上記の蓋板を取付けるためのフランジを下方に延設した部分であって上記の蓋板により被覆されない部分によって構成した第３の構成の吸収式冷凍機と
を提供するものである。
【０００８】
【発明の実施の形態】
以下、本発明の一実施形態を、図面に基づいて詳細に説明する。
図面に示した本発明の吸収式冷凍機においては、吸収器１に流入する冷却水が連結された冷却水管２から供給される上流側水カバー３と、吸収器１から吐出した冷却水を受けて連結された冷却水管４から排出する下流側水カバー５とが吸収器１の両側部に対向設置されている。
【０００９】
上流側水カバー３は、吸収器１の側部に水密状態に取着された堅牢な短筒状の水カバー本体６と、その水カバー本体６の外側開口を封止する蓋板８とからなり、蓋板８は水カバー本体６のフランジ７に複数個のボルト９（図１に１個のみ示し、他は省略）により水密状態に取り付けられている。
【００１０】
そして、水カバー本体６のフランジ７の下方側は、蓋板８より下方に例えば１０ｍｍ程度延設され、蓋板８により被覆されない部分７Ａが約１０ｍｍ程ある。
【００１１】
下流側水カバー５も、吸収器１の側部に水密状態に取着された堅牢な短筒状の水カバー本体１０と、その水カバー本体１０の外側開口を封止する蓋板１２とからなり、蓋板１２は水カバー本体１０のフランジ１１に複数個のボルト９（図１に１個のみ示し、他は省略）により水密状態に取り付けられている。
【００１２】
水カバー本体１０のフランジ１１の下方側も、蓋板１２より下方に例えば１０ｍｍ程度延設され、蓋板１２により被覆されない部分１１Ａが約１０ｍｍ程ある。
【００１３】
また、蒸発器１３に流入するブラインが連結されたブライン管１４から供給される上流側ブラインカバー１５と、蒸発器１３から吐出したブラインを受けて連結されたブライン管１６から排出する下流側ブラインカバー１７とが蒸発器１３の両側部に対向設置されている。
【００１４】
上流側ブラインカバー１５は、蒸発器１３の側部に液密状態に取着された堅牢な短筒状のブラインカバー本体１８と、そのブラインカバー本体１８の外側開口を封止する蓋板２０とからなり、蓋板２０はブラインカバー本体１８のフランジ１９に図示しない複数個のボルトにより液密状態に取り付けられている。
【００１５】
ブラインカバー本体１８のフランジ１９の下方側も、蓋板２０より下方に例えば１０ｍｍ程度延設され、蓋板２０により被覆されない部分１９Ａが約１０ｍｍ程ある。
【００１６】
下流側ブラインカバー１７も、蒸発器１３の側部に液密状態に取着された堅牢な短筒状のブラインカバー本体２１と、そのブラインカバー本体２１の外側開口を封止する蓋板２３とからなり、蓋板２３はブラインカバー本体２１のフランジ２２に図示しない複数個のボルトにより液密状態に取り付けられている。
【００１７】
ブラインカバー本体２１のフランジ２２の下方側も、蓋板２３より下方に例えば１０ｍｍ程度延設され、蓋板２３により被覆されない部分２２Ａが約１０ｍｍ程ある。
【００１８】
したがって、上記構成になる本発明の吸収式冷凍機においては、上流側水カバー３のフランジ７、下流側水カバー５のフランジ１１、上流側ブラインカバー１５の フランジ１９、下流側ブラインカバー１７のフランジ２２それぞれの蓋板８、１２、２０、２３により被覆されない部分７Ａ、１１Ａ、１９Ａ、２２Ａの適宜の 部位に図示しないジャッキを宛がって持ち上げレベル調整する際に、フランジにボルト止めされた蓋板８、１２、２０、２３などにジャッキアップする際の荷重 が作用することがないので、上流側水カバー３、下流側水カバー５、上流側ブラインカバー１５、下流側ブラインカバー１７の液密性を損なうことがない。
【００１９】
上記の実施形態の構成を要約すると、概括的には、第１には、
再生器、凝縮器、蒸発器、吸収器などを配管接続して構成するとともに、冷媒及び吸収液の循環がスムースに行えるように水平を出して設置するためのジャッキアップを行う部分、すなわち、ジャッキアップ部分を設けた吸収式冷凍機」において、
吸収器1の一方の側部に、短筒状のカバー本体３の外側を蓋板８で被覆して構成した上流側水カバー３を設け、吸収器１の他方の側部にも、短筒状のカバー本体１０の外側を蓋板１２で被覆して構成した下流側水カバー５を設けるとともに、各水カバー本体６・１０の外側から、それぞれ、下方側に突き出して蓋板８・１２により被覆されない部分７Ａ・１１Ａをジャッキアップする部分として構成した上記の第１の構成の吸収式冷凍機を構成していることになり、
【００２０】
また、第２には、
再生器、凝縮器、蒸発器、吸収器などを配管接続して構成するとともに、冷媒及び吸収液の循環がスムースに行えるように水平を出して設置するためのジャッキアップを行う部分、すなわち、ジャッキアップ部分を設けた吸収式冷凍機」において、
蒸発器1３の一方の側部に、短筒状のカバー本体１５の外側２０を蓋板で被覆して構成した上流側ブラインカバー１５を設け、蒸発器１３の他方の側部にも、短筒状のカバー本体２１の外側を蓋板２３で被覆して構成した下流側ブラインカバー１７を設けるとともに、各ブラインカバー本体１８・２１の外側から、それぞれ、下方側に突き出して蓋板２０・２３により被覆されない部分１９Ａ・２２Ａをジャッキアップする部分として構成した上記の第２の構成の吸収式冷凍機を構成していることになり、
【００２１】
さらに、第３には、
上記の第１または第２の構成の吸収式冷凍機において、
ジャッキアップする部分７Ａ・１１Ａまたは１９Ａ・２２Ａを、蓋板８・１２・２０・２３を取付けるためのフランジ７・１１または１９・２２を下方に延設した部分であって蓋板８・１２または２０・２３により被覆されない部分７Ａ・１１Ａまたは１９Ａ・２２Ａによって構成した上記の第３の構成の吸収式冷凍機を構成していることになる。
【００２２】
なお、本発明は上記実施形態に限定されるものではないので、特許請求の範囲に記載の趣旨から逸脱しない範囲で各種の変形実施が可能である。
【００２３】
例えば、蓋板８、１２、２０、２３より大きく設けて蓋板により被覆されない上流側水カバー３、下流側水カバー５、上流側ブラインカバー１５、下流側ブラインカバー１７などのフランジは、例えば図３に示したようにジャッキを宛がう予定の部分に短く、例えば５〜１０ｃｍ程度の長さに設けることも可能である。
【００２４】
そして、蓋板８、１２、２０、２３より大きく設けて蓋板によっては被覆されない部分７Ａ、１１Ａ、１９Ａ、２２Ａは、蓋板８、１２、２０、２３により覆われるように設けたフランジ７、１１、１９、２２に、溶接・ろう付けなどにより取り付けるものであっても良い。
【００２５】
【発明の効果】
以上説明したように、本発明の吸収式冷凍機においては据付用のジャッキを宛がう場所が設けられているので、速やかに水平を出して設置することができる。また、ジャッキを宛がった付近を破損することもない。
【図面の簡単な説明】
【図１】  本発明になる吸収式冷凍機を前方から見たときの説明図である。
【図２】  図１に示した吸収式冷凍機を側方から見たときの説明図であり、（Ａ）は左側面説明図、（Ｂ）は右側面説明図である。
【図３】  本発明の変形実施形態を示す説明図である。
【符号の説明】
１  吸収器
２  冷却水管
３  上流側水カバー
４  冷却水管
５  下流側水カバー
６  水カバー本体
７  フランジ
７Ａ  未被覆部分
８  蓋板
９  ボルト
１０  水カバー本体
１１  フランジ
１１Ａ  未被覆部分
１２  蓋板
１３  蒸発器
１４  ブライン管
１５  上流側ブラインカバー
１６  ブライン管
１７  下流側ブラインカバー
１８  ブラインカバー本体
１９  フランジ
１９Ａ  未被覆部分
２０  蓋板
２１  ブラインカバー本体
２２  フランジ
２２Ａ  未被覆部分
２３  蓋板
【図１】
0004285945.tif 000002
【図２】
0004285945.tif 000003
【図３】
0004285945.tif 000004